(57)【要約】      （修正有）【課題】消費電力を低減させることができる生体情報測定装置及び生体情報測定システムを提供する。【解決手段】生体情報測定装置１０は、タイマ部１２と、外部機器と通信可能な通信部１５と、被検者の生体情報を測定する測定部１１と、制御部１７とを有する。制御部１７は、通常モードから省電力モードへ切替え可能である。制御部１７は、通常モードでは、遅くとも測定部１１による生体情報の測定を終了するときまでにタイマ部１２に計時を開始させ、当該生体情報と併せて、生体情報の測定が終了するときから外部機器と通信するときまでのタイマ部の計時値を当該外部機器に送信する。制御部１７は、省電力モードでは、測定部１１による生体情報の測定を終了してもタイマ部１２に計時を開始させない。【選択図】図２
2019170716.tif 000002
【特許請求の範囲】
【請求項１】
タイマ部と、
外部機器と通信可能な通信部と、
被検者の生体情報を測定する測定部と、
遅くとも前記測定部による生体情報の測定を終了するときまでに前記タイマ部に計時を開始させ、当該生体情報と併せて、当該生体情報の測定が終了するときから前記外部機器と通信するときまでの前記タイマ部の計時値を前記外部機器に送信する通常モードから、前記測定部による生体情報の測定を終了しても前記タイマ部に計時を開始させない省電力モードへ動作モードを切替え可能な制御部と、を有する、生体情報測定装置。
【請求項２】
前記制御部は、前記通常モードにおいて、前記タイマ部から前記計時値を取得すると、前記タイマ部を停止させる、請求項１に記載の生体情報測定装置。
【請求項３】
前記制御部は、前記通常モードでは、前記タイマ部の総稼働時間を算出し、前記通信部によって前記外部機器に、当該総稼働時間をさらに送信する、請求項１又は２に記載の生体情報測定装置。
【請求項４】
前記動作モードが、前記通常モードであるか又は前記省電力モードであるかを示すフラグを格納する記憶部をさらに有し、
前記制御部は、前記フラグが前記通常モードを示すとき、前記生体情報測定装置の前記動作モードを前記通常モードに切替え、
前記制御部は、前記フラグが前記省電力モードを示すとき、前記生体情報測定装置の前記動作モードを前記省電力モードに切替える、請求項１乃至３の何れか一項に記載の生体情報測定装置。
【請求項５】
前記制御部は、前記通信部によって前記外部機器から、前記動作モードが、前記通常モードであるか又は前記省電力モードであるかを示すフラグを受信すると、前記記憶部に格納された前記フラグを、前記受信したフラグに更新する、請求項４に記載の生体情報測定装置。
【請求項６】
前記制御部は、前記通常モードであるとき、前記生体情報と併せて、前記計時値及び前記通常モードを示すフラグを、前記通信部によって前記外部機器に送信し、
前記制御部は、前記省電力モードであるとき、前記生体情報と併せて、前記省電力モードを示すフラグを、前記通信部によって前記外部機器に送信する、請求項４又は５に記載の生体情報測定装置。
【請求項７】
生体情報測定装置及び制御装置を備える生体情報測定システムであって、
前記生体情報測定装置は、
タイマ部と、
前記制御装置と通信可能な第１通信部と、
被検者の生体情報を測定する測定部と、
遅くとも前記測定部による生体情報の測定を終了するときまでに前記タイマ部に計時を開始させ、当該生体情報と併せて、当該生体情報の測定が終了するときから前記制御装置と通信するときまでの前記タイマ部の計時値を当該制御装置に送信する通常モードから、前記測定部による生体情報の測定を終了しても前記タイマ部に計時を開始させない省電力モードへ動作モードを切替え可能な第１制御部と、を有し、
前記制御装置は、
時計部と、
前記生体情報測定装置と通信可能な第２通信部と、
前記生体情報測定装置と通信するときの通信日時を前記時計部から取得し、さらに、前記第２通信部によって前記生体情報測定装置から、前記生体情報と併せて前記計時値を受信した場合、前記通信日時と前記計時値とに基づいて、前記生体情報が測定された日時である測定日時を算出する第２制御部と、を有する、
生体情報測定システム。
【請求項８】
前記第１制御部は、前記通常モードにおいて、前記タイマ部から前記計時値を取得すると、前記タイマ部を停止させる、請求項７に記載の生体情報測定システム。
【請求項９】
前記第１制御部は、前記通常モードでは、前記タイマ部の総稼働時間を算出し、前記第１通信部によって前記制御装置に、当該総稼働時間をさらに送信し、
前記制御装置は、報知部をさらに有し、
前記第２制御部は、前記第２通信部によって前記生体情報測定装置から受信した前記総稼働時間が閾値よりも大きいとき、前記報知部に報知させる、請求項７又は８に記載の生体情報測定システム。
【請求項１０】
前記生体情報測定装置は、前記動作モードが、前記通常モードであるか又は前記省電力モードであるかを示すフラグを格納する記憶部をさらに有し、
前記第１制御部は、前記フラグが前記通常モードを示すとき、前記生体情報測定装置の前記動作モードを前記通常モードに切替え、
前記第１制御部は、前記フラグが前記省電力モードを示すとき、前記生体情報測定装置の前記動作モードを前記省電力モードに切替える、請求項７乃至９の何れか一項に記載の生体情報測定システム。
【請求項１１】
前記第１制御部は、前記第１通信部によって前記制御装置から、前記動作モードが、前記通常モードであるか又は前記省電力モードであるかを示すフラグを受信すると、前記記憶部に格納された前記フラグを、前記受信したフラグに更新する、請求項１０に記載の生体情報測定システム。
【請求項１２】
前記第１制御部は、前記通常モードであるとき、前記生体情報と併せて、前記計時値及び前記通常モードを示すフラグを、前記第１通信部によって前記制御装置に送信し、
前記第２制御部は、前記第２通信部によって前記生体情報測定装置から、前記通常モードを示すフラグを受信した場合、前記測定日時を算出する、請求項１０又は１１に記載の生体情報測定システム。
【請求項１３】
前記第１制御部は、前記省電力モードであるとき、前記生体情報と併せて、前記省電力モードを示すフラグを、前記第１通信部によって前記制御装置に送信し、
前記第２制御部は、前記第２通信部によって前記生体情報測定装置から、前記省電力モードを示すフラグを受信した場合、前記生体情報測定装置と前記通信日時とを関連付ける、請求項１０乃至１２の何れか一項に記載の生体情報測定システム。
【請求項１４】
前記制御装置は、操作者の入力を受付ける入力部をさらに備え、
前記第２制御部は、前記入力部が受付けた入力に基づいて、前記動作モードが、前記通常モードであるか又は前記省電力モードであるかを示すフラグを生成し、
前記第２制御部は、前記生成したフラグを、前記第２通信部によって前記生体情報測定装置に送信する、請求項１１に記載の生体情報測定システム。
【請求項１５】
前記第１制御部は、前記通常モードでは、前記タイマ部の総稼働時間を算出し、前記第１通信部によって前記制御装置に、当該総稼働時間をさらに送信し、
前記第２制御部は、前記第２通信部によって前記生体情報測定装置から受信した前記総稼働時間が閾値よりも大きいとき、前記省電力モードであることを示すフラグを生成し、前記生成したフラグを、前記第２通信部によって前記生体情報測定装置に送信する、請求項１１に記載の生体情報測定システム。
【発明の詳細な説明】
【技術分野】
【０００１】
本開示は、生体情報測定装置及び生体情報測定システムに関する。
【背景技術】
【０００２】
近年、より高度な医療を提供するために、生体情報を測定すると共に、当該生体情報を測定した時刻を取得する生体情報測定装置が知られている（例えば、特許文献１）。特許文献１に記載の生体情報測定装置は、生体情報を測定すると共に、自装置に備えられる時計から当該生体情報を測定した時刻を取得している。
【先行技術文献】
【特許文献】
【０００３】
【特許文献１】特開２００３−２６５４１９号公報
【発明の概要】
【発明が解決しようとする課題】
【０００４】
ところで、従来の生体情報測定装置では、生体情報を測定した時刻を取得するために、生体情報測定装置に備えられる時計を、常時、駆動させ続けることが求められる。しかしながら、時計が常時駆動し続けると、生体情報測定装置の消費電力が増加してしまう虞がある。
【０００５】
かかる点に鑑みてなされた本開示の目的は、消費電力を低減させることができる生体情報測定装置及び生体情報測定システムを提供することにある。
【課題を解決するための手段】
【０００６】
本開示の第１態様としての生体情報測定装置は、タイマ部と、外部機器と通信可能な通信部と、被検者の生体情報を測定する測定部と、遅くとも前記測定部による生体情報の測定を終了するときまでに前記タイマ部に計時を開始させ、当該生体情報と併せて、当該生体情報の測定が終了するときから前記外部機器と通信するときまでの前記タイマ部の計時値を当該外部機器に送信する通常モードから、前記測定部による生体情報の測定を終了しても前記タイマ部に計時を開始させない省電力モードへ動作モードを切替え可能な制御部と、を有する。
【０００７】
本開示の１つの実施形態として、前記制御部は、前記通常モードにおいて、前記タイマ部から前記計時値を取得すると、前記タイマ部を停止させる。
【０００８】
本開示の１つの実施形態として、前記制御部は、前記通常モードでは、前記タイマ部の総稼働時間を算出し、前記通信部によって前記外部機器に、当該総稼働時間をさらに送信する。
【０００９】
本開示の１つの実施形態として、前記生体情報測定装置は、前記動作モードが、前記通常モードであるか又は前記省電力モードであるかを示すフラグを格納する記憶部をさらに有し、前記制御部は、前記フラグが前記通常モードを示すとき、前記生体情報測定装置の前記動作モードを前記通常モードに切替え、前記制御部は、前記フラグが前記省電力モードを示すとき、前記生体情報測定装置の前記動作モードを前記省電力モードに切替える。
【００１０】
本開示の１つの実施形態として、前記制御部は、前記通信部によって前記外部機器から、前記動作モードが、前記通常モードであるか又は前記省電力モードであるかを示すフラグを受信すると、前記記憶部に格納された前記フラグを、前記受信したフラグに更新する。
【００１１】
本開示の１つの実施形態として、前記制御部は、前記通常モードであるとき、前記生体情報と併せて、前記計時値及び前記通常モードを示すフラグを、前記通信部によって前記外部機器に送信し、前記制御部は、前記省電力モードであるとき、前記生体情報と併せて、前記省電力モードを示すフラグを、前記通信部によって前記外部機器に送信する。
【００１２】
本開示の第２態様としての生体情報測定システムは、生体情報測定装置及び制御装置を備える生体情報測定システムであって、前記生体情報測定装置は、タイマ部と、前記制御装置と通信可能な第１通信部と、被検者の生体情報を測定する測定部と、遅くとも前記測定部による生体情報の測定を終了するときまでに前記タイマ部に計時を開始させ、当該生体情報と併せて、当該生体情報の測定が終了するときから前記制御装置と通信するときまでの前記タイマ部の計時値を当該制御装置に送信する通常モードから、前記測定部による生体情報の測定を終了しても前記タイマ部に計時を開始させない省電力モードへ動作モードを切替え可能な第１制御部と、を有し、前記制御装置は、時計部と、前記生体情報測定装置と通信可能な第２通信部と、前記生体情報測定装置と通信するときの通信日時を前記時計部から取得し、さらに、前記第２通信部によって前記生体情報測定装置から、前記生体情報と併せて前記計時値を受信した場合、前記通信日時と前記計時値とに基づいて、前記生体情報が測定された日時である測定日時を算出する第２制御部と、を有する。
【００１３】
本開示の１つの実施形態として、前記第１制御部は、前記通常モードにおいて、前記タイマ部から前記計時値を取得すると、前記タイマ部を停止させる。
【００１４】
本開示の１つの実施形態として、前記第１制御部は、前記通常モードでは、前記タイマ部の総稼働時間を算出し、前記第１通信部によって前記制御装置に、当該総稼働時間をさらに送信し、前記制御装置は、報知部をさらに有し、前記第２制御部は、前記第２通信部によって前記生体情報測定装置から受信した前記総稼働時間が閾値よりも大きいとき、前記報知部に報知させる。
【００１５】
本開示の１つの実施形態として、前記生体情報測定装置は、前記動作モードが、前記通常モードであるか又は前記省電力モードであるかを示すフラグを格納する記憶部をさらに有し、前記第１制御部は、前記フラグが前記通常モードを示すとき、前記生体情報測定装置の前記動作モードを前記通常モードに切替え、前記第１制御部は、前記フラグが前記省電力モードを示すとき、前記生体情報測定装置の前記動作モードを前記省電力モードに切替える。
【００１６】
本開示の１つの実施形態として、前記第１制御部は、前記第１通信部によって前記制御装置から、前記通常モードであるか又は前記省電力モードであるかを示す前記フラグを受信すると、前記記憶部に格納された前記フラグを、前記受信したフラグに更新する。
【００１７】
本開示の１つの実施形態として、前記第１制御部は、前記通常モードであるとき、前記生体情報と併せて、前記計時値及び前記通常モードを示すフラグを、前記第１通信部によって前記制御装置に送信し、前記第２制御部は、前記第２通信部によって前記生体情報測定装置から、前記通常モードを示すフラグを受信した場合、前記測定日時を算出する。
【００１８】
本開示の１つの実施形態として、前記第１制御部は、前記省電力モードであるとき、前記生体情報と併せて、前記省電力モードを示すフラグを、前記第１通信部によって前記制御装置に送信し、前記第２制御部は、前記第２通信部によって前記生体情報測定装置から、前記省電力モードを示すフラグを受信した場合、前記生体情報測定装置と前記通信日時とを関連付ける。
【００１９】
本開示の１つの実施形態として、前記制御装置は、操作者の入力を受付ける入力部をさらに備え、前記第２制御部は、前記入力部が受付けた入力に基づいて、前記動作モードが、前記通常モードであるか又は前記省電力モードであるかを示すフラグを生成し、前記第２制御部は、前記生成したフラグを、前記第２通信部によって前記生体情報測定装置に送信する。
【００２０】
本開示の１つの実施形態として、前記第１制御部は、前記通常モードでは、前記タイマ部の総稼働時間を算出し、前記第１通信部によって前記制御装置に、当該総稼働時間をさらに送信し、前記第２制御部は、前記第２通信部によって前記生体情報測定装置から受信した前記総稼働時間が閾値よりも大きいとき、前記省電力モードであることを示すフラグを生成し、前記生成したフラグを、前記第２通信部によって前記生体情報測定装置に送信する。
【発明の効果】
【００２１】
本開示に係る生体情報測定装置及び生体情報測定システムによれば、消費電力を低減させることができる。
【図面の簡単な説明】
【００２２】
【図１】本開示の第１実施形態に係る生体情報測定システムの概略構成図である。
【図２】図１に示す生体情報測定システムの機能ブロック図である。
【図３】体温計のディスプレイに表示される表示画像の一例を示す図である。
【図４】制御装置の記憶部に格納されたテーブルの一例である。
【図５】図２に示す生体情報測定装置の動作を示すフローチャートである（その１）。
【図６】図２に示す生体情報測定装置の動作を示すフローチャートである（その２）。
【図７】図２に示す制御装置の動作を示すフローチャートである（その１）。
【図８】図２に示す制御装置の動作を示すフローチャートである（その２）。
【図９】図２に示す生体情報測定システムの通常モード時のシーケンス図である。
【図１０】図２に示す生体情報測定システムの省電力モード時のシーケンス図である。
【図１１】本開示の第２実施形態に係る制御装置の動作を示すフローチャートである。
【発明を実施するための形態】
【００２３】
以下、本開示に係る実施形態について、図面を参照して説明する。以下、各図において共通の構成部には、同一符号を付す。
【００２４】
（第１実施形態）
［システムの構成］
図１は、本開示の第１実施形態に係る生体情報測定システム１の概略構成図である。生体情報測定システム１は、生体情報測定装置１０と、制御装置２０とを備える。生体情報測定装置１０と制御装置２０は、互いに無線通信することができる。以下、生体情報測定装置１０と制御装置２０は、近距離無線通信（ＮＦＣ：Near Field Communication）規格に従って通信するものとする。ただし、生体情報測定装置１０と制御装置２０は、任意の無線通信規格に従って通信してよい。当該任意の無線通信規格は、無線ＬＡＮ、Ｂｌｕｅｔｏｏｔｈ（登録商標）、ＩｒＤＡ（Infrared Data Association）、２Ｇ（2nd Generation）、３Ｇ（3rd Generation）、４Ｇ（4th Generation）、ＬＴＥ（Long Term Evolution）、ＷｉＭＡＸ（Worldwide Interoperability for Microwave Access）及びＰＨＳ（Personal Handy-phone System）を含んでよい。また、生体情報測定装置１０と制御装置２０は、互いに有線通信してもよい。
【００２５】
以下、生体情報測定装置１０が生体情報を測定する対象者は、「被検者」と記載する。また、生体情報測定装置１０を操作する者は、「操作者」と記載する。
【００２６】
生体情報測定装置１０は、被検者の生体情報を測定する。生体情報は、脈拍数、経皮的動脈血酸素飽和度（ＳｐО２）、体温、血糖値、体重、血圧値及び活動量を含んでよい。活動量は、歩数及び消費カロリーを含んでよい。
【００２７】
生体情報測定装置１０は、図１に示すような、パルスオキシメータ１０Ａ、体温計１０Ｂ、血糖計１０Ｃ又は活動量計１０Ｄであってよい。ただし、生体情報測定装置１０は、図１に示す機器に限定されない。例えば、生体情報測定装置１０は、血圧計又は体重計であってよい。
【００２８】
生体情報測定装置１０は、病院等の医療機関で使用されてよい。この場合、操作者は、看護師等の医療従事者であり得る。また、被検者は、医療機関に来院している患者であり得る。医療従事者は、生体情報測定装置１０を操作して、生体情報測定装置１０に患者の生体情報を測定させる。医療従事者は、生体情報測定装置１０の測定が終了すると、生体情報測定装置１０と制御装置２０とが通信可能になるように、生体情報測定装置１０を、制御装置２０の通信部２４にかざす（以降、単に「かざす」とも記載する）。生体情報測定装置１０が制御装置２０の通信部２４にかざされることで、生体情報測定装置１０と制御装置２０との間で近距離無線通信が実行される。生体情報測定装置１０と制御装置２０との間で近距離無線通信が実行されることで、患者の生体情報の測定値は、生体情報測定装置１０から制御装置２０へ送信されて、制御装置２０に格納される。この後、医師は、制御装置２０に格納された患者の生体情報の測定値を、例えば制御装置２０の表示部２１を介して閲覧することで、患者の健康状態等を診断する。
【００２９】
また、生体情報測定装置１０は、個人宅で使用されてよい。この場合、被検者が操作者となり得る。被検者である操作者は、生体情報測定装置１０を操作して、生体情報測定装置１０に被検者である自分の生体情報を測定させる。被検者である操作者は、生体情報測定装置１０の測定が終了すると、生体情報測定装置１０を、制御装置２０の通信部２４にかざす。生体情報測定装置１０が制御装置２０の通信部２４にかざされることで、上述のように、被検者の生体情報の測定値は、制御装置２０に格納される。この後、被検者である操作者は、医療機関にかかる際、制御装置２０に格納された自分の生体情報を、例えばプリントアウトすることにより、持参する。医師は、被検者である操作者が持参した生体情報の測定値を閲覧することで、被検者である操作者の健康状態等を診断する。
【００３０】
制御装置２０は、デスクトップＰＣ又はノートＰＣといった、ＰＣ端末であってよい。制御装置２０は、生体情報測定装置１０が病院等の医療機関で使用される場合、当該医療機関に設置されてよい。また、制御装置２０は、生体情報測定装置１０が個人宅で使用される場合、当該個人宅に設置されてよい。
【００３１】
制御装置２０は、生体情報測定装置１０から、生体情報の測定値等を受信する。制御装置２０は、生体情報測定装置１０が通常モードである場合、当該生体情報測定装置１０から受信した生体情報の測定値を、当該生体情報の測定値が測定された日時（以下「測定日時」という）に関連付けて格納することができる。又は、制御装置２０は、生体情報測定装置１０が省電力モードである場合、生体情報の測定値を、制御装置２０が生体情報測定装置１０と通信した日時（以下、「通信日時」という）に関連付けて格納することができる。これらの処理の詳細は、後述する。
【００３２】
［生体情報処理装置の機能］
図２は、図１に示す生体情報測定システム１の機能ブロック図である。生体情報測定システム１は、生体情報測定装置１０と、制御装置２０とを備える。
【００３３】
生体情報測定装置１０は、測定部１１と、タイマ部１２と、表示部１３と、電池１４と、通信部１５（第１通信部）と、記憶部１６と、制御部１７（第１制御部）とを有する。ただし、生体情報測定装置１０が有する構成要素は、これらに限定されない。例えば、生体情報測定装置１０は、操作者の入力を受付ける入力部をさらに有してもよい。
【００３４】
測定部１１は、被検者の生体情報を測定する。測定部１１は、生体情報測定装置１０に応じて、適宜構成されてよい。
【００３５】
例えば、測定部１１は、生体情報測定装置１０が図１に示すパルスオキシメータ１０Ａである場合、発光素子及び受光センサを含んで構成されてよい。当該発光素子は、被検者の生体組織に向けて、赤色光及び赤外光を発する。当該受光センサは、赤色光及び赤外光の被検者の生体組織における透過光又は反射光を受光し、血中酸素飽和度及び／又は脈拍数を測定する。
【００３６】
例えば、測定部１１は、生体情報測定装置１０が図１に示す体温計１０Ｂである場合、温度センサを含んで構成されてよい。当該温度センサは、図１に示す体温計１０Ｂのキャップ１０Ｂ−１に収容されてよい。
【００３７】
例えば、測定部１１は、生体情報測定装置１０が図１に示す血糖計１０Ｃである場合、発光素子及び受光センサを含んで構成されてよいし、電極システムを含んで構成されてもよい。血糖計１０Ｃに取り外し可能に装着されるチップ又は体内に埋め込まれるセンサに被検者の体液が接触すると、体液中のグルコース値に応じた試薬反応が起こる。血糖計１０Ｃは、その試薬反応量を受光量及び／又は酸化電流量として検出し、血糖値を算出（測定）する。
【００３８】
例えば、測定部１１は、生体情報測定装置１０が図１に示す活動量計１０Ｄである場合、加速度センサを含んで構成されてよい。加速度センサは、生体情報測定装置１０に働く加速度の大きさ及び／又は方向を検出する。生体情報測定装置１０に働く加速度に基づいて、被検者の歩数、活動量及び／又は歩行強度を算出（測定）する。
【００３９】
タイマ部１２は、制御部１７の制御に基づいて、計時を開始する。また、タイマ部１２は、制御部１７の制御に基づいて、計時を停止する。タイマ部１２は、カウンタ回路を含んで構成されてよい。
【００４０】
表示部１３は、制御部１７の制御に基づいて、文字、記号及び画像等を含む各種情報を表示する。表示部１３は、液晶ディスプレイ、有機ＥＬディスプレイ又は無機ＥＬディスプレイ等を含んで構成されてよい。例えば、生体情報測定装置１０が体温計１０Ｂである場合、表示部１３は、図１に示すディスプレイ１０Ｂ−２を含んで構成されてよい。
【００４１】
電池１４は、生体情報測定装置１０に含まれる各構成要素に電力を供給する。電池１４は、リチウムコイン電池等の一次電池であってよい。又は、電池１４は、二次電池であってよい。
【００４２】
通信部１５は、外部機器と通信可能である。本実施形態では、外部機器は、制御装置２０であるものとする。通信部１５は、近距離無線通信規格に対応する無線通信モジュールを含んで構成されてよい。
【００４３】
記憶部１６は、半導体メモリ又は磁気メモリ等で構成されてよい。記憶部１６は、各種情報及び／又は生体情報測定装置１０を動作させるためのプログラム等を記憶する。記憶部１６は、ワークメモリとして機能してもよい。
【００４４】
記憶部１６は、測定部１１が測定した生体情報の測定値を格納する。また、記憶部１６は、後述のフラグ及びタイマ部１２の総稼働時間を格納する。
【００４５】
制御部１７は、生体情報測定装置１０を構成する各機能ブロックをはじめとして、生体情報測定装置１０の全体を制御及び管理するプロセッサである。制御部１７は、制御手順を規定したプログラムを実行するＣＰＵ（Central Processing Unit）等のプロセッサ又は各機能の処理に特化した専用のプロセッサで構成されてよい。
【００４６】
ここで、制御部１７は、生体情報測定装置１０の動作モードを、通常モード又は省電力モードに切替えることができる。省電力モードは、通常モードよりも、生体情報測定装置１０の電力消費が小さくなり得る動作モードである。
【００４７】
以下、制御部１７は、動作モードが通常モードであるか又は省電力モードであるかを示すフラグに基づいて、生体情報測定装置１０の動作モードを切替えるものとする。当該フラグは、上述のように、記憶部１６に格納される。当該フラグは、“Ｌ”である場合、通常モードを示すものとする。また、当該フラグは、“Ｈ”である場合、省電力モードを示すものとする。以下、通常モード時の制御部１７の処理及び省電力モード時の制御部１７の処理について、それぞれ説明する。
【００４８】
＜通常モード時の処理＞
制御部１７は、記憶部１６に格納されたフラグを参照し、当該フラグが“Ｌ”である場合、生体情報測定装置１０の動作モードを、通常モードに切替える。
【００４９】
通常モードでは、制御部１７は、所定条件が満たされると、測定部１１による被検者の生体情報の測定を開始する。例えば、生体情報測定装置１０がパルスオキシメータ１０Ａである場合、制御部１７は、当該所定条件として、測定部１１が所定量（閾値）を超える受光量を検出すると、生体情報である酸素飽和度及び脈拍数の測定を開始する。また、例えば、生体情報測定装置１０が体温計１０Ｂである場合、制御部１７は、当該所定条件として測定部１１が所定値（例えば、３０度）を超える温度を検出すると、生体情報である体温の測定を開始する。
【００５０】
制御部１７は、測定部１１の測定結果に基づいて、生体情報の測定値を確定可能であるとき、生体情報の測定を終了する。例えば、生体情報測定装置１０が体温計１０Ｂである場合、制御部１７は、測定部１１が検出した温度と所定の予測式とに基づいて、被検者の体温の測定値を確定可能であるとき、生体情報の測定を終了する。
【００５１】
制御部１７は、測定部１１による生体情報の測定が終了すると、生体情報の測定値を表示させる。例えば、生体情報測定装置１０が体温計１０Ｂである場合、制御部１７は、図１に示すディスプレイ１０Ｂ−２に体温の測定値を表示させる。この場合、図３に示すように、ディスプレイ１０Ｂ−２に、体温の測定値と併せて通常モードであることを示すアイコン１０Ｂ−４を表示してもよい。図３に示すアイコン１０Ｂ−４は、“Ｌ”であることにより、生体情報測定装置１０が通常モードであることを示す。さらに、制御部１７は、生体情報の測定値を、記憶部１６に格納する。
【００５２】
通常モードでは、制御部１７は、遅くとも測定部１１による生体情報の測定を終了するときまでにタイマ部１２に計時を開始させる。制御部１７は、生体情報の測定を終了するときにタイマ部１２に計時を開始させてもよいし、測定部１１による生体情報の測定を開始するときにタイマ部１２に計時を開始させてもよい。例えば、制御部１７は、タイマ部１２の計時値を「００：００：００」にリセットした後、タイマ部１２に計時を開始させる。ここで、操作者は、例えば図１に示すディスプレイ１０Ｂ−２の表示内容を視認することにより、生体情報の測定が終了したことを知ることができる。操作者は、生体情報の測定が終了したことを知ると、生体情報測定装置１０を図１に示す通信部２４にかざす。
【００５３】
制御部１７は、操作者が生体情報測定装置１０を図１に示す通信部２４にかざすことにより、通信部１５によって制御装置２０と通信することができる。制御部１７は、通信部１５によって制御装置２０と通信するとき、計時値をタイマ部１２から取得する。当該計時値は、生体情報の測定が終了するときから制御装置２０と通信するときまでの計時値となる。制御部１７は、生体情報の測定値と併せて計時値を、通信部１５によって制御装置２０に、送信する。なお、制御部１７は、制御装置２０と通信するときにタイマ部１２を停止させてよい。例えば、制御部１７は、タイマ部１２から計時値を取得すると、タイマ部１２を停止させてよい。
【００５４】
このように通常モードでは、制御部１７は、生体情報の測定値と併せて計時値を、制御装置２０に送信する。生体情報の測定値と併せて計時値が制御装置２０に送信されることで、制御装置２０は、生体情報の測定値と併せて計時値を受信することができる。詳細は後述するが、制御装置２０は、生体情報の測定値と併せて計時値を受信することで、生体情報の測定値の測定日時を算出することができる。
【００５５】
さらに、通常モードでは、制御部１７は、通信部１５によって制御装置２０に、生体情報の測定値と併せて計時値を送信すると、タイマ部１２の計時を速やかに停止させる。このような処理によって、タイマ部１２が駆動し続けることを防ぐことができる。タイマ部１２が駆動し続けることを防ぐことで、生体情報測定装置１０の消費電力を低減させることができる。
【００５６】
なお、制御部１７は、通信部１５によって制御装置２０と通信するとき、制御装置２０に生体情報測定装置１０が通常モードであることを通知してもよい。例えば、制御部１７は、記憶部１６からフラグ（Ｌ）を読み出して、制御装置２０に送信してもよい。フラグ（Ｌ）は、上述のように、生体情報測定装置１０が通常モードであることを示す。
【００５７】
また、制御部１７は、通信部１５によって制御装置２０と通信するとき、電池１４の残量の指標を、制御装置２０に送信してもよい。例えば、制御部１７は、電池１４の残量の指標として、電池１４の残量値を、制御装置２０に送信してもよい。又は、制御部１７は、電池１４の残量の指標として、タイマ部１２の総稼働時間、記憶部１６に格納された測定値数及び／又はデータ量を、制御装置２０に送信してもよい。制御部１７は、制御装置２０と通信する毎にタイマ部１２から取得する計時値を積算させて、総稼働時間を算出してもよい。
【００５８】
なお、制御部１７は、生体情報測定装置１０に対する操作者の入力に基づいて、記憶部１６に格納されたフラグを更新してもよい。例えば生体情報測定装置１０が図１に示す体温計１０Ｂである場合、制御部１７は、電源ボタン１０Ｂ−３に対する操作者の入力に基づいて、記憶部１６に格納されたフラグを更新してもよい。
【００５９】
また、制御部１７は、通信部１５によって制御装置２０と通信するときに、制御装置２０から新たなフラグを受信した場合、記憶部１６に格納されたフラグを、受信した新たなフラグに、更新してもよい。
【００６０】
＜省電力モード時の処理＞
制御部１７は、記憶部１６に格納されたフラグを参照し、当該フラグが“Ｈ”である場合、生体情報測定装置１０の動作モードを、省電力モードに切替える。
【００６１】
省電力モードでも、制御部１７は、通常モードと同様に、所定条件が満たされると、測定部１１による被検者の生体情報の測定を開始する。また、制御部１７は、通常モードと同様に、測定部１１の測定結果に基づいて、生体情報の測定値を確定可能であるとき、生体情報の測定を終了する。さらに、制御部１７は、通常モードと同様に、測定部１１による生体情報の測定を終了すると、生体情報の測定値を表示させる。生体情報測定装置１０が体温計１０Ｂである場合、制御部１７は、図１に示すディスプレイ１０Ｂ−２に、体温の測定値と併せて省電力モードであることを示すアイコンを表示してもよい。さらに、制御部１７は、通常モードと同様に、生体情報の測定値を、記憶部１６に格納する。
【００６２】
ここで、省電力モードでは、制御部１７は、通常モードとは異なり、測定部１１による生体情報の測定を終了しても、タイマ部１２に計時を開始させない。省電力モードでは、タイマ部１２を稼働させないことで、通常モードよりも、生体情報測定装置１０の消費電力を低減させることができる。
【００６３】
制御部１７は、操作者が生体情報測定装置１０を図１に示す通信部２４にかざすことにより、通信部１５によって制御装置２０と通信することができる。省電力モードでは、制御部１７は、生体情報の測定値を、通信部１５によって制御装置２０に送信する。
【００６４】
さらに、制御部１７は、通信部１５によって制御装置２０と通信するとき、制御装置２０に生体情報測定装置１０が省電力モードであることを通知してもよい。例えば、制御部１７は、記憶部１６からフラグ（Ｈ）を読み出して、制御装置２０に送信してもよい。フラグ（Ｈ）は、上述のように、生体情報測定装置１０が省電力モードであることを示す。
【００６５】
なお、制御部１７は、省電力モードでも通常モードと同様に、生体情報測定装置１０に対する操作者の入力に基づいて、記憶部１６に格納されたフラグを更新してもよい。
【００６６】
また、制御部１７は、省電力モードでも通常モードと同様に、通信部１５によって制御装置２０と通信するときに、制御装置２０から新たなフラグを受信した場合、記憶部１６に格納されたフラグを、受信した新たなフラグに、更新してもよい。
【００６７】
［制御装置の機能］
制御装置２０は、図２に示すように、表示部２１と、時計部２２と、入力部２３と、通信部２４（第２通信部）と、記憶部２５と、制御部２６（第２制御部）とを有する。なお、制御装置２０は、報知部として表示部２１を有するが、報知部として任意の構成要素を有してよい。例えば、制御装置２０は、報知部としてスピーカを有してもよい。また、制御装置２０が有する構成要素は、これらに限定されない。例えば、制御装置２０は、遠距離無線通信に対応する通信部と、バッテリとをさらに有してもよい。
【００６８】
表示部２１は、制御部２６の制御に基づいて、文字、記号及び画像等を含む各種情報を表示する。表示部２１は、液晶ディスプレイ、有機ＥＬディスプレイ又は無機ＥＬディスプレイ等を含んで構成されてよい。
【００６９】
時計部２２は、日時をカウントする。日時は、日付及び時刻を含んでよい。時計部２２は、ハードウェアクロックを含んで構成されてよい。なお、時計部２２は、不図示のネットワークを介して時刻サーバーが保持する正確な日時情報と同期させた状態であってよい。
【００７０】
入力部２３は、操作者の入力を受付ける。入力部２３は、キーボード、タッチパッド、タッチパネル又は音声入力装置を含んで構成されてよい。
【００７１】
通信部２４は、図１に示すように、制御装置２０の外側に配置されてよい。通信部２４は、近距離無線通信規格に対応する無線モジュールを含んで構成されてよい。
【００７２】
記憶部２５は、半導体メモリ又は磁気メモリ等で構成されてよい。記憶部２５は、各種情報及び／又は制御装置２０を動作させるためのプログラム等を記憶する。記憶部２５は、ワークメモリとして機能してもよい。
【００７３】
記憶部２５は、後述の時間閾値及び後述の図４に示すテーブルを格納する。
【００７４】
制御部２６は、制御装置２０を構成する各機能ブロックをはじめとして、制御装置２０の全体を制御及び管理するプロセッサである。制御部２６は、制御手順を規定したプログラムを実行するＣＰＵ（Central Processing Unit）等のプロセッサ又は各機能の処理に特化した専用のプロセッサで構成されてよい。
【００７５】
制御部２６は、例えば通信部２４が近距離無線通信に基づく生体情報測定装置１０からの磁界を検出すると、通信部２４によって生体情報測定装置１０との通信を開始する。制御部２６は、生体情報測定装置１０と通信するときに、時計部２２から通信日時を取得する。通信日時は、制御装置２０と生体情報測定装置１０とが通信するときの日時となる。
【００７６】
制御部２６は、生体情報測定装置１０が通常モードである場合、通信部２４によって生体情報測定装置１０から、生体情報の測定値と併せて計時値を受信することができる。この場合、制御部２６は、時計部２２から取得した通信日時と、生体情報測定装置１０から受信した計時値とに基づいて、測定日時を算出してよい。例えば、制御部２６は、通信日時から計時値を減算することによって、測定日時を算出してよい。制御部２６は、生体情報の測定値と測定日時とを関連付けて、記憶部２５に格納する。
【００７７】
なお、制御部２６は、通信部２４によって生体情報測定装置１０から、生体情報測定装置１０が通常モードであることを示すフラグ（Ｌ）を受信した場合に、上述の処理を実行するようにしてよい。換言すると、制御部２６は、生体情報測定装置１０からフラグ（Ｌ）を受信した場合に、測定日時を算出して、生体情報の測定値と測定日時とを関連付けて記憶部２５に格納してもよい。さらに、制御部２６は、生体情報の測定値を記憶部２５に格納する際、生体情報の測定値に関連付けた日時が測定日時であることを示すフラグを、当該日時に付加してもよい。
【００７８】
一方、制御部２６は、生体情報測定装置１０が省電力モードである場合、通信部２４によって生体情報測定装置１０から、生体情報の測定値を受信することができる。この場合、制御部２６は、生体情報の測定値と通信日時とを関連付けて、記憶部２５に格納してよい。
【００７９】
なお、制御部２６は、通信部２４によって生体情報測定装置１０から、生体情報測定装置１０が省電力モードであることを示すフラグ（Ｈ）を受信した場合に、上述の処理を実行するようにしてよい。換言すると、制御部２６は、生体情報測定装置１０からフラグ（Ｈ）を受信した場合に、生体情報の測定値と通信日時とを関連付けて、記憶部２５に格納してもよい。さらに、制御部２６は、生体情報の測定値を記憶部２５に格納する際、生体情報の測定値に関連付けた日時が通信日時であることを示すフラグを、当該日時に付加してもよい。
【００８０】
図４は、制御装置２０の記憶部２５に格納されたテーブルの一例である。図４に示す生体情報の測定値は、体温の測定値である。また、日時に付加されたフラグは、当該日時が、測定日時であるか又は通信日時であるかを示す。図４の例では、日時に付加されたフラグは、“Ｌ”であることにより、当該日時が測定日時であることを示す。また、日時に付加されたフラグは、“Ｈ”であることにより、当該日時が通信日時であることを示す。
【００８１】
図４に示すように、測定値「３８．００℃」は、測定日時「２０１７年１２月１９日  １０：００」に関連付けられる。また、測定値「３７．５０℃」は、測定日時「２０１７年１２月２０日  １０：００」に関連付けられる。また、測定値「３７．００℃」は、測定日時「２０１７年１２月２１日  １０：００」に関連付けられる。また、測定値「３６．５０℃」は、通信日時「２０１７年１２月２２日  １０：０３」に関連付けられる。
【００８２】
ここで、図２に示す制御部２６は、通信部２４によって生体情報測定装置１０から、電池１４の残量の指標を受信してもよい。制御部２６は、電池１４の残量の指標に基づいて、電池１４の残量が所定量（閾値）を下回ると判定するとき、報知部としての表示部２１に、電池１４の残量が少ない旨を表示させてよい。
【００８３】
例えば、制御部２６は、電池１４の残量の指標として生体情報測定装置１０から電池１４の残量値を受信した場合、当該残量値が電力閾値を下回るか否か判定してよい。この場合、制御部２６は、当該残量値が電力閾値を下回ると判定するとき、報知部としての表示部２１に、電池１４の残量が少ない旨を表示させてよい。
【００８４】
例えば、制御部２６は、電池１４の残量の指標として生体情報測定装置１０から計時値の総稼働時間を受信した場合、当該総稼働時間が時間閾値を超えるか否か判定してよい。この場合、制御部２６は、当該総稼働時間が時間閾値を超えると判定するとき、報知部としての表示部２１に、電池１４の残量が少ない旨を表示させてよい。また、制御部２６は、電池１４の残量の指標として記憶部１６に格納された測定値数及び／又はデータ量を受信する場合も、電池１４の残量が各々の閾値を下回る場合、同様に報知部によって報知させてよい。
【００８５】
このように制御部２６は、電池１４の残量が所定量を下回るとき、表示部２１に、電池１４の残量が少ない旨を表示させることができる。このような処理によって、操作者は、電池１４の寿命が近付いていることを知ることができる。
【００８６】
ここで、操作者は、電池１４の寿命が近付いていても、生体情報測定装置１０の動作モードを省電力モードへ変更せずに、生体情報測定装置１０を通常モードで使用して生体情報の測定値及び測定日時を取得したいと考える場合がある。例えば、操作者は、入院患者の健康状態を診断する場合、入院患者の健康状態をより確実に診断するために、生体情報の測定値及び測定日時を取得したいと考える。操作者は、生体情報測定装置１０を通常モードで使用したいと考える場合、通常モードの要求を、入力部２３から入力してもよい。
【００８７】
一方、操作者は、電池１４の寿命が近付いているために、生体情報測定装置１０を省電力モードで使用して消費電力を低減したいと考える場合がある。又は、生体情報の測定値及び通信日時の取得で十分な場合、操作者は、生体情報測定装置１０を省電力モードで使用したいと考える。例えば、外来患者は、入院患者ほど、生体情報の測定日時が重要にならない場合がある。そのため、外来患者を診断する場合、生体情報の測定値及び通信日時の取得で十分な場合がある。操作者は、生体情報測定装置１０を省電力モードで使用したいと考える場合、省電力モードの要求を入力部２３から入力してもよい。
【００８８】
制御部２６は、入力部２３が操作者の入力を受付けた場合、当該入力に基づいて、動作モードが通常モードであるか又は省電力モードであるかを示すフラグを新たに生成してもよい。例えば、制御部２６は、入力部２３が通常モードの要求を受付けたとき、通常モードを示すフラグ（Ｌ）を生成してよい。また、制御部２６は、入力部２３が省電力モードの要求を受付けたとき、省電力モードを示すフラグ（Ｈ）を生成してよい。さらに、制御部２６は、生成したフラグを、通信部２４によって生体情報測定装置１０に、送信してよい。
【００８９】
このように制御部２６が新たなフラグを生体情報測定装置１０に送信することで、生体情報測定装置１０の記憶部１６に格納されたフラグは、新たなフラグに更新され得る。生体情報測定装置１０の記憶部１６に格納されるフラグが更新されることで、生体情報測定装置１０の動作モードは、更新されたフラグが示す通常モード又は省電力モードになり得る。
【００９０】
［生体情報測定装置の動作］
図５は、図２に示す生体情報測定装置１０の動作を示すフローチャートである（その１）。図６は、図２に示す生体情報測定装置１０の動作を示すフローチャートである（その２）。例えば、生体情報測定装置１０が図１に示す体温計１０Ｂである場合、制御部１７は、入力部としての電源ボタン１０Ｂ−３に対する操作を検出すると、処理を開始する。又は、生体情報測定装置１０が体温計１０Ｂである場合、制御部１７は、測定部１１が所定値を超える温度若しくは温度変化を検出するとき、処理を開始してもよい。
【００９１】
制御部１７は、測定部１１による被検者の生体情報の測定を開始する（ステップＳ１０）。制御部１７は、測定部１１による被検者の生体情報の測定を終了するか否か判定する（ステップＳ１１）。
【００９２】
制御部１７は、被検者の生体情報の測定を終了すると判定するとき（ステップＳ１１：Ｙｅｓ）、ステップＳ１２の処理に進む。一方、制御部１７は、生体情報の測定を終了しないと判定するとき（ステップＳ１１：Ｎｏ）、再びステップＳ１１の処理を実行する。
【００９３】
ステップＳ１２の処理では、制御部１７は、表示部１３に、生体情報の測定値を表示させる。さらに、ステップＳ１２の処理では、制御部１７は、生体情報の測定値を、記憶部１６に格納する。
【００９４】
ステップＳ１３の処理では、制御部１７は、記憶部１６に格納されたフラグを参照して、当該フラグが“Ｈ”であるか否か判定する。制御部１７は、当該フラグが“Ｈ”であると判定するとき（ステップＳ１３：Ｙｅｓ）、ステップＳ１４の処理に進む。一方、制御部１７は、当該フラグが“Ｈ”ではないと判定するとき、すなわち、当該フラグが“Ｌ”であると判定するとき（ステップＳ１３：Ｎｏ）、図６に示すステップＳ１８の処理に進む。
【００９５】
ステップＳ１４の処理では、制御部１７は、通信部１５によって制御装置２０と通信するか否か判定する。制御部１７は、制御装置２０と通信すると判定するとき（ステップＳ１４：Ｙｅｓ）、ステップＳ１５の処理に進む。一方、制御部１７は、制御装置２０と通信すると判定しないとき（ステップＳ１４：Ｎｏ）、再びステップＳ１４の処理を実行する。
【００９６】
ステップＳ１５の処理では、制御部１７は、生体情報の測定値と併せて記憶部１６に格納されたフラグを、通信部１５によって制御装置２０に送信する。
【００９７】
ステップＳ１６の処理では、制御部１７は、通信部１５によって制御装置２０から、新たなフラグを受信する。ステップＳ１７の処理では、制御部１７は、記憶部１６に格納されたフラグを、受信した新たなフラグに更新する。
【００９８】
図６に示すステップＳ１８の処理では、制御部１７は、タイマ部１２に計時を開始させる。例えば、制御部１７は、タイマ部１２の計時値を「００：００：００」にリセットした後、タイマ部１２に計時を開始させる。
【００９９】
ステップＳ１９の処理では、制御部１７は、通信部１５によって制御装置２０と通信するか否か判定する。制御部１７は、制御装置２０と通信すると判定するとき（ステップＳ１９：Ｙｅｓ）、ステップＳ２０の処理に進む。一方、制御部１７は、制御装置２０と通信すると判定しないとき（ステップＳ１９：Ｎｏ）、再びステップＳ１９の処理を実行する。
【０１００】
ステップＳ２０の処理では、制御部１７は、タイマ部１２から計時値を取得する。ステップＳ２１の処理では、制御部１７は、記憶部１６に格納された総稼働時間に、ステップＳ２０の処理で取得した計時値を加算して、新たな総稼働時間を算出する。
【０１０１】
ステップＳ２２の処理では、制御部１７は、生体情報の測定値と併せて、ステップＳ２０の処理で取得した計時値、記憶部１６に格納されたフラグ及びステップＳ２１の処理で算出した総稼働時間を、通信部１５によって制御装置２０に送信する。
【０１０２】
ステップＳ２３の処理では、制御部１７は、通信部１５によって制御装置２０から、新たなフラグを受信する。ステップＳ２４の処理では、制御部１７は、記憶部１６に格納されたフラグを、受信した新たなフラグに更新する。
【０１０３】
ステップＳ２５の処理では、制御部１７は、タイマ部１２に計時を停止させる。
【０１０４】
なお、制御部１７は、ステップＳ２１の処理において、電池１４の残量の指標としてタイマ部１２の総稼働時間を算出する代わりに、電池１４の残量値を取得してもよい。この場合、制御部１７は、ステップＳ２２の処理において、タイマ部１２の総稼働時間の代わりに電池１４の残量値を、制御装置２０に送信してよい。また、制御部１７は、ステップＳ２１の処理において、電池１４の他の残量の指標を取得してもよい。
【０１０５】
また、制御部１７は、ステップＳ２５の処理を、ステップＳ２０の処理の実行後、且つステップＳ２１の処理又はステップＳ２２の処理の実行前に、実行してもよい。換言すると、制御部１７は、ステップＳ２０の処理によってタイマ部１２から計時を取得した後、タイマ部１２に計時を停止させてよい。
【０１０６】
また、制御部１７は、ステップＳ２５の処理を、ステップＳ２２の処理の実行後、且つステップＳ２３の処理の実行前に、実行してもよい。換言すると、制御部１７は、ステップＳ２２の処理によって生体情報の測定値等を制御装置２０に送信した後、タイマ部１２に計時を停止させてよい。
【０１０７】
［制御装置の動作］
図７は、図２に示す制御装置２０の動作を示すフローチャートである（その１）。図８は、図２に示す制御装置２０の動作を示すフローチャートである（その２）。例えば、制御部２６は、通信部２４が近距離無線通信に基づく生体情報測定装置１０からの磁界を検出するとき、処理を開始する。
【０１０８】
制御部２６は、通信部２４によって生体情報測定装置１０との通信を開始する（ステップＳ３０）。制御部２６は、時計部２２から通信日時を取得する（ステップＳ３１）。制御部２６は、通信部２４によって生体情報測定装置１０から、フラグを受信する（ステップＳ３２）。
【０１０９】
制御部２６は、受信したフラグがＨであるか否か判定する（ステップＳ３３）。制御部２６は、当該フラグがＨであると判定するとき（ステップＳ３３：Ｙｅｓ）、ステップＳ３４の処理に進む。一方、制御部３３は、当該フラグがＨではないと判定するとき、すなわち、当該フラグがＬであると判定するとき（ステップＳ３３：Ｎｏ）、図８に示すステップＳ３７の処理に進む。
【０１１０】
ステップＳ３４の処理では、制御部２６は、通信部２４によって生体情報測定装置１０から、生体情報の測定値を受信する。
【０１１１】
ステップＳ３５の処理では、制御部２６は、フラグ（Ｈ）を生成する。制御部２６は、生成したフラグ（Ｈ）を、通信部２４によって生体情報測定装置１０に送信する。
【０１１２】
ステップＳ３６の処理では、制御部２６は、ステップＳ３４の処理で受信した生体情報の測定値とステップＳ３１の処理で取得した通信日時とを関連付けて、記憶部２５に格納する。
【０１１３】
図８に示すステップＳ３７の処理では、制御部２６は、通信部２４によって生体情報測定装置１０から、生体情報の測定値と併せて計時値及びタイマ部１２の総稼働時間を受信する。
【０１１４】
ステップＳ３８の処理では、制御部２６は、図７に示すステップＳ３１の処理で取得した通信日時と、ステップＳ３７の処理で受信した計時値とに基づいて、測定日時を算出する。
【０１１５】
ステップＳ３９の処理では、制御部２６は、ステップＳ３７の処理で受信した生体情報の測定値と、ステップＳ３８の処理で算出した測定日時とを関連付けて、記憶部２５に格納する。
【０１１６】
ステップＳ４０の処理では、制御部２６は、ステップＳ３７の処理で受信した総稼働時間が時間閾値を超えるか否か判定する。制御部２６は、総稼働時間が時間閾値を超えると判定するとき（ステップＳ４０：Ｙｅｓ）、ステップＳ４２の処理に進む。一方、制御部２６は、総稼働時間が時間閾値以下であると判定するとき（ステップＳ４０：Ｎｏ）、ステップＳ４１の処理に進む。
【０１１７】
ステップＳ４１の処理では、制御部２６は、フラグ（Ｌ）を生成する。さらに、制御部２６は、通信部２４によって生体情報測定装置１０に、生成したフラグ（Ｌ）を送信する。
【０１１８】
ステップＳ４２の処理では、制御部２６は、報知部としての表示部２１に、電池１４の残量が少ない旨を表示させる。
【０１１９】
ステップＳ４３の処理では、制御部２６は、入力部２３が省電力モードの要求を受付けたか否か判定する。制御部２６は、入力部２３が省電力モードの要求を受付けたと判定するとき（ステップＳ４３：Ｙｅｓ）、ステップＳ４４の処理に進む。一方、制御部２６は、入力部２３が通常モードの要求を受付けたと判定するとき（ステップＳ４３：Ｎｏ）、ステップＳ４５の処理に進む。
【０１２０】
ステップＳ４４の処理では、制御部２６は、新たなフラグ（Ｈ）を生成する。さらに、制御部２６は、通信部２４によって生体情報測定装置１０に、生成したフラグ（Ｈ）を送信する。
【０１２１】
ステップＳ４５の処理では、制御部２６は、新たなフラグ（Ｌ）を生成する。さらに、制御部２６は、通信部２４によって生体情報測定装置１０に、生成したフラグ（Ｌ）を送信する。
【０１２２】
なお、制御部２６は、ステップＳ３８，Ｓ３９の処理を、ステップＳ４４の処理の後に及びステップＳ４５の処理の後に、実行してもよい。
【０１２３】
また、制御部２６は、ステップＳ３７の処理において、生体情報測定装置１０から、電池１４の残量値を受信してもよい。この場合、制御部２６は、ステップＳ４０の処理において、電池１４の残量値が電力閾値を下回るか否か判定してもよい。さらに、制御部２６は、電池１４の残量値が電力閾値を下回ると判定するとき、ステップＳ４２の処理に進んでよい。一方、制御部２６は、電池１４の残量値が電力閾値以上であると判定するとき、ステップＳ４１の処理に進んでよい。
【０１２４】
［生体情報測定システムの通常モード時の動作］
図９は、図２に示す生体情報測定システム１の通常モード時のシーケンス図である。制御部１７は、記憶部１６に格納されたフラグを参照し、当該フラグが“Ｌ”である場合、生体情報測定装置１０の動作モードを、通常モードに切替える。
【０１２５】
生体情報測定装置１０では、制御部１７は、測定部１１による被検者の生体情報の測定を開始する（ステップＳ５０）。その後、制御部１７は、測定部１１による生体情報の測定を終了する（ステップＳ５１）。制御部１７は、生体情報の測定を終了するとき、タイマ部１２の計時値を「００：００：００」にリセットした後、タイマ部１２に計時を開始させる（ステップＳ５２）。
【０１２６】
操作者が生体情報測定装置１０を図１に示す通信部２４にかざすことにより、生体情報測定装置１０と制御装置２０は、通信を開始する（ステップＳ５３）。
【０１２７】
生体情報測定装置１０の制御部１７は、タイマ部１２から計時値を取得する（ステップＳ５４Ａ）。制御装置２０の制御部２６は、時計部２２から通信日時を取得する（ステップＳ５４Ｂ）。
【０１２８】
生体情報測定装置１０の制御部１７は、通信部１５によって制御装置２０に、生体情報の測定値と併せて、計時値、記憶部１６に格納されたフラグ（Ｌ）及び総稼働時間を、送信する（ステップＳ５５Ａ）。制御装置２０の制御部２６は、通信部２４によって生体情報測定装置１０から、生体情報の測定値、計時値、フラグ（Ｌ）及び総稼働時間を受信する（ステップＳ５５Ｂ）。
【０１２９】
制御装置２０の制御部２６は、ステップＳ５５Ｂの処理で受信した総稼働時間に応じたフラグを、生成する。制御部２６は、生成したフラグを、通信部２４によって生体情報測定装置１０に送信する（ステップＳ５６Ａ）。
【０１３０】
生体情報測定装置１０の制御部１７は、通信部１５によって制御装置２０から、フラグを受信する。制御部１７は、記憶部１６に格納されたフラグを、受信したフラグに更新する（ステップＳ５６Ｂ）。
【０１３１】
生体情報測定装置１０と制御装置２０は、通信を終了する（ステップＳ５７）。
【０１３２】
生体情報測定装置１０の制御部１７は、タイマ部１２に計時を停止させる（ステップＳ５８）。
【０１３３】
制御装置２０の制御部２６は、ステップＳ５４Ｂの処理で取得した通信日時と、ステップＳ５５Ｂの処理で受信した計時値とに基づいて、測定日時を算出する（ステップＳ５９）。
【０１３４】
制御装置２０の制御部２６は、ステップＳ５５Ｂの処理で受信した生体情報の測定値と、ステップＳ５９の処理で算出した測定日時とを関連付けて、記憶部２５に格納する（ステップＳ６０）。
【０１３５】
［生体情報測定システムの省電力モード時の動作］
図１０は、図２に示す生体情報測定システム１の省電力モード時のシーケンス図である。制御部１７は、記憶部１６に格納されたフラグを参照し、当該フラグが“Ｈ”である場合、生体情報測定装置１０の動作モードを、省電力モードに切替える。
【０１３６】
生体情報測定装置１０では、制御部１７は、測定部１１による被検者の生体情報の測定を開始する（ステップＳ７０）。その後、制御部１７は、測定部１１による生体情報の測定を終了する（ステップＳ７１）。
【０１３７】
操作者が生体情報測定装置１０を図１に示す通信部２４にかざすことにより、生体情報測定装置１０と制御装置２０は、通信を開始する（ステップＳ７２）。
【０１３８】
制御装置２０の制御部２６は、時計部２２から通信日時を取得する（ステップＳ７３）。
【０１３９】
生体情報測定装置１０の制御部１７は、通信部１５によって制御装置２０に、生体情報の測定値と併せて、記憶部１６に格納されたフラグ（Ｈ）を、送信する（ステップＳ７４Ａ）。制御装置２０の制御部２６は、通信部２４によって生体情報測定装置１０から、生体情報の測定値及びフラグ（Ｈ）を受信する（ステップＳ７４Ｂ）。
【０１４０】
制御装置２０の制御部２６は、フラグ（Ｈ）を生成する。制御部２６は、生成したフラグ（Ｈ）を、通信部２４によって生体情報測定装置１０に送信する（ステップＳ７５Ａ）。
【０１４１】
生体情報測定装置１０の制御部１７は、通信部１５によって制御装置２０から、フラグ（Ｈ）を受信する。制御部１７は、記憶部１６に格納されたフラグを、受信したフラグに更新する（ステップＳ７５Ｂ）。
【０１４２】
生体情報測定装置１０と制御装置２０は、通信を終了する（ステップＳ７６）。
【０１４３】
制御装置２０の制御部２６は、ステップＳ７４Ｂの処理で受信した生体情報の測定値と、ステップＳ７３の処理で取得した通信日時とを関連付けて、記憶部２５に格納する（ステップＳ７７）。
【０１４４】
以上述べたように、第１実施形態では、生体情報測定装置１０が通常モードである場合、生体情報測定装置１０のタイマ部１２を駆動させ続けることを防ぎつつ、制御装置２０に、生体情報の測定値と測定日時とを関連付けて格納することができる。通常モードでは、生体情報測定装置１０のタイマ部１２を駆動させ続けることを防ぐことで、生体情報測定装置１０の消費電力を低減させることができる。また、第１実施形態では、生体情報測定装置１０が省電力モードである場合、生体情報測定装置１０のタイマ部１２を駆動させずに、制御装置２０に、生体情報の測定値と通信日時とを関連付けて格納することができる。省電力モードでは、生体情報測定装置１０のタイマ部１２を駆動させないことで、生体情報測定装置１０の消費電力をより低減させることができる。従って、本実施形態によれば、生体情報測定装置１０の消費電力を低減させることができる。
【０１４５】
さらに、本実施形態によれば、生体情報測定装置１０の消費電力を低減させることで、以下のような、効果を奏することができる。
【０１４６】
例えば、生体情報測定装置１０の消費電力が低減されることで、生体情報測定装置１０に、より小さいサイズの電池１４を搭載させることができる。生体情報測定装置１０により小さいサイズの電池１４を搭載させることで、生体情報測定装置１０のサイズをより小さくすることができる。生体情報測定装置１０が図１に示すような携帯型である場合、生体情報測定装置１０のサイズがより小さくなることで、生体情報測定装置１０は、携帯性に優れたものとなり得る。
【０１４７】
例えば、生体情報測定装置１０の消費電力が低減されることで、生体情報測定装置１０の電池１４の寿命をより延ばすことができる。ここで、例えば生体情報測定装置１０が医療機関で使用される体温計１０Ｂである場合、体温計１０Ｂは、異なる患者の体温を測定する度に、水洗いされたり消毒されたりする。そのため、体温計１０Ｂは、防水のために樹脂等で封止される場合がある。樹脂等で封止される場合、体温計１０Ｂは、電池１４が交換できない場合がある。電池１４の交換ができない場合、電池１４が枯渇すると、体温計１０Ｂは、使用できなくなる。そのような場合であっても、本実施形態によれば、生体情報測定装置１０の電池１４の寿命をより延ばすことができる。そのため、本実施形態によれば、生体情報測定装置１０の寿命を延ばすことができる。このような生体情報測定装置１０は、使用前に長期保管される場合も多い。そのため、生体情報測定装置１０を使用する際に、電池１４の電力を有効に使用できる。
【０１４８】
（第２実施形態）
次に、本開示の第２実施形態に係る生体情報測定システム１について説明する。第２実施形態に係る生体情報測定システム１の機能ブロックは、第１実施形態に係る生体情報測定システム１の機能ブロックと同様であってよい。従って、以下では、図２を参照しつつ、第１実施形態との相違点を主に説明する。
【０１４９】
第２実施形態に係る制御装置２０では、制御部２６は、生体情報測定装置１０から受信した電池１４の指標に基づいて、フラグを生成する。制御部２６は、生成したフラグを、通信部２４によって生体情報測定装置１０に、送信する。
【０１５０】
例えば、制御部２６は、電池１４の残量の指標として電池１４の残量値を受信する場合、当該残量値が電力閾値を下回るとき、フラグ（Ｈ）を生成する。一方、制御部２６は、当該残量値が電力閾値以上であるとき、フラグ（Ｌ）を生成する。制御部２６は、生成したフラグを、通信部２４によって生体情報測定装置１０に、送信する。
【０１５１】
例えば、制御部２６は、電池１４の残量の指標としてタイマ部１２の総稼働時間を受信する場合、当該総稼働時間が時間閾値を超えるとき、フラグ（Ｈ）を生成する。一方、制御部２６は、当該総稼働時間が時間閾値以下であるとき、フラグ（Ｌ）を生成する。制御部２６は、生成したフラグを、通信部２４によって生体情報測定装置１０に、送信する。
【０１５２】
［制御装置の動作］
図１１は、本開示の第２実施形態に係る制御装置２０の動作を示すフローチャートである。図１１に示す処理は、図７に示すＢの続きである。
【０１５３】
制御部２６は、図８に示すステップＳ３７〜Ｓ３９の処理と同様にして、ステップＳ８０〜Ｓ８２の処理を実行する。
【０１５４】
ステップＳ８３の処理では、制御部２６は、総稼働時間が時間閾値を超えるか否か判定する。制御部２６は、総稼働時間が時間閾値を超えると判定するとき（ステップＳ８３：Ｙｅｓ）、ステップＳ８４の処理に進む。一方、制御部２６は、総稼働時間が時間閾値以下であると判定するとき（ステップＳ８３：Ｎｏ）、ステップＳ８５の処理に進む。
【０１５５】
制御部２６は、図８に示すステップＳ４４の処理と同様にして、ステップＳ８４の処理を実行する。制御部２６は、図８に示すステップＳ４５の処理と同様にして、ステップＳ８５の処理を実行する。
【０１５６】
なお、制御部２６は、ステップＳ８１，Ｓ８２の処理を、ステップＳ８４の処理の後及びステップＳ８５の処理の後に、実行してもよい。
【０１５７】
なお、制御部２６は、ステップＳ８０の処理において、生体情報測定装置１０から、電池１４の残量値を受信してもよい。この場合、制御部２６は、ステップＳ８３の処理において、電池１４の残量値が電力閾値を下回るか否か判定してもよい。さらに、制御部２６は、電池１４の残量値が電力閾値を下回ると判定するとき、ステップＳ８４の処理に進んでよい。一方、制御部２６は、電池１４の残量値が電力閾値以上であると判定するとき、ステップＳ８５の処理に進んでよい。
【０１５８】
以上述べたように、第２実施形態に係る生体情報測定システム１では、制御装置２０は、生体情報測定装置１０から受信した電池１４の残量の指標に基づいて、フラグを生成する。さらに、制御装置２０は、生成したフラグを生体情報測定装置１０に送信する。このような処理によって、第２実施形態に係る生体情報測定システム１では、自動的に生体情報測定装置１０の動作モードを切替えることができる。
【０１５９】
第２実施形態に係る生体情報測定システム１において、その他の構成及び効果は、第１実施形態に係る生体情報測定システム１と同様である。
【０１６０】
本開示は、上述した各実施形態で特定された構成に限定されるものではなく、特許請求の範囲に記載した内容を逸脱しない範囲内で種々の変形が可能である。
【０１６１】
例えば、図８に示すフローチャートと、図１１に示すフローチャートとが組み合わされていてもよい。この場合、図８に示すステップＳ４０の処理における時間閾値は、第１時間閾値としてよい。さらに、図１１に示すステップＳ８３における時間閾値は、第１時間閾値よりも大きい第２時間閾値としてよい。加えて、制御部２６は、図８に示すステップＳ４０の処理の前に、図１１に示すステップＳ８３の処理を実行してよい。制御部２６は、図１１に示すステップＳ８３の処理において総稼働時間が第２時間閾値以下であると判定するとき、図８に示すステップＳ４０の処理に進んでよい。一方、制御部２６は、図１１に示すステップＳ８３の処理において総稼働時間が第２時間閾値を超えると判定するとき、図１１に示すステップＳ８４の処理に進んでよい。
【産業上の利用可能性】
【０１６２】
本開示は、生体情報測定装置及び生体情報測定システムに関する。
【符号の説明】
【０１６３】
１  生体情報測定システム
１０  生体情報測定装置
１０Ａ  パルスオキシメータ
１０Ｂ  体温計
１０Ｂ−１  キャップ
１０Ｂ−２  ディスプレイ
１０Ｂ−３  電源ボタン
１０Ｂ−４  アイコン
１０Ｃ  血糖計
１０Ｄ  活動量計
１１  測定部
１２  タイマ部
１３  表示部
１４  電池
１５  通信部（第１通信部）
１６  記憶部
１７  制御部（第１制御部）
２０  制御装置
２１  表示部（報知部）
２２  時計部
２３  入力部
２４  通信部（第２通信部）
２５  記憶部
２６  制御部（第２制御部）
【図１】
2019170716.tif 000003
【図２】
2019170716.tif 000004
【図３】
2019170716.tif 000005
【図４】
2019170716.tif 000006
【図５】
2019170716.tif 000007
【図６】
2019170716.tif 000008
【図７】
2019170716.tif 000009
【図８】
2019170716.tif 000010
【図９】
2019170716.tif 000011
【図１０】
2019170716.tif 000012
【図１１】
2019170716.tif 000013